(57)【特許請求の範囲】
【請求項１】
所定の地点から所定距離内にある施設を地図情報記憶手段に記憶された地図情報から検索し、検索された施設の施設名をリスト表示する施設情報表示装置であって、
前記施設名を示すデータ並びに施設情報提供元から回線を通じて提供され前記施設に係る駐車場の空き状況を示すデータ及び前記施設情報提供元から回線を通じて提供され前記施設に係る施設内部での待ち時間を示すデータを対応付け、この対応付けられたデータを用いて前記施設名のうち駐車場が空いている施設の施設名を施設内部での待ち時間が少ない順にディスプレイにリスト表示させる制御部を備える施設情報表示装置。
【請求項２】
前記制御部は、前記ディスプレイに対して、施設内部での待ち時間が最も少ない施設の施設名をリストの最上位で表示させることを特徴とする請求項１に記載の施設情報表示装置。
【請求項３】
前記制御部は、前記ディスプレイに対して、前記検索された施設の施設名を、駐車場が空いている施設の施設名の群と駐車場が空いていない施設の施設名の群とに区分してリスト表示させることを特徴とする請求項１に記載の施設情報表示装置。
【請求項４】
前記制御部は、前記ディスプレイに対して、駐車場が空いている施設の施設名の群を駐車場が空いていない施設の施設名の群よりもリストの上位で表示させることを特徴とする請求項３に記載の施設情報表示装置。
【発明の詳細な説明】
【０００１】
【発明の属する技術分野】
本発明は、施設情報を取得し、表示および案内を行う施設情報表示装置に関する。
【０００２】
【従来の技術】
図９は従来の施設情報表示装置の構成を示し、50は入力手段、51は施設の営業時間，定休日，電話番号等，レストランのメニュー，あるいは観光名所のガイド等の情報を予め記憶する施設情報記憶手段、52は道路情報や河川，鉄道，施設，県境や市町村の行政区域等の形状情報や文字，記号情報等の地図情報を記憶する地図情報記憶手段、53は施設情報をディスプレイ55に表示させる施設情報表示手段、54は地図情報をディスプレイ55に表示させる地図情報表示手段である。
【０００３】
次に、従来例の動作について説明する。図９において、地図情報表示手段54は地図情報記憶手段52から所望の地図情報を読み出しディスプレイ55に表示させる。施設情報表示手段53は、入力手段50により地図上のある施設を指し示された場合、施設情報記憶手段51から該当する施設情報を読み出し、ディスプレイ55に表示させる。
【０００４】
このように従来の施設情報表示装置では地図表示上である施設を指定することにより、営業時間やレストランのメニュー等の施設情報を容易に入手することができる。
【０００５】
【発明が解決しようとする課題】
しかしながら、従来の施設情報表示装置では、施設の詳細な情報を予め記憶しておく必要があり、データ容量に際限がないことと、前記の施設情報だけでは駐車場の空き状況や施設内での待ち時間がわからないため、実際に施設に到着するまでは混雑状況が把握できないという問題があった。このため、駐車場が混雑していて入れなかったり、あるいはレストランの場合、駐車場が空いていても中での待ち時間が多く、駐車料金がかさんだり大きな時間のロスが生じることがあった。さらに、ドライブの途中で施設に立ち寄りたい場合に、近くにあり混雑している施設よりも少し遠くにあってもすいている施設の情報を提供できることがユーザーにとっては好ましいといえる。
【０００６】
本発明は、このような従来の問題を解決するものであり、ユーザーにリアルタイムで的確な施設情報を提供し、駐車場の空き状況や施設の待ち時間といった施設の混雑状況を考慮した効率の良い経路案内ができる優れた施設情報表示装置を提供することをその課題とする。
【０００７】
【課題を解決するための手段】
本発明は、前記課題を解決達成するために、地図情報を記憶する地図情報記憶手段と、前記地図情報における所定の地点を予め指定する入力手段と、前記入力手段によって指定された地点から所定距離内の施設を前記地図情報記憶手段より検索する施設情報検索手段と、前記施設情報検索手段により検索された施設に対する情報を要求する情報要求信号を前記検索された施設の情報を提供する情報提供元に送信し前記情報提供元から前記施設情報検索手段により検索された施設の情報を取得する施設情報取得手段と、前記施設情報取得手段で取得した施設情報を解析する施設情報解析手段と、前記施設情報解析手段で解析した施設情報をディスプレイに表示させる施設情報表示手段とを備え、前記施設情報取得手段は、前記入力手段により指定された所定の地点から所定距離内の施設の駐車場の空き状況と前記入力手段により指定された所定の地点から所定距離内の施設内の待ち時間とを取得し、前記施設情報解析手段は、前記施設の駐車場が空いていて、かつ施設の待ち時間の少ない順に優先順位を求め、前記施設情報表示手段は前記施設情報解析手段で求められた優先順位順に施設をリスト表示することを特徴とする。このような構成としたことにより、リアルタイムな施設の情報をユーザーにわかりやすく提供できるようになる。また、施設の情報を外部よりリアルタイムに取得するので、予め施設の情報を記憶しておく必要はなく、メモリ容量の削減にも貢献することができる。また、合計待ち時間の少ない施設の順に優先順位をつけてリスト表示することにより、必要な情報をすばやく把握することが可能となる。
【０００８】
また、地図情報を記憶する地図情報記憶手段と、前記地図情報における所定の地点を予め指定する入力手段と、前記入力手段によって指定された地点から所定距離内の施設を前記地図情報記憶手段より検索する施設情報検索手段と、前記施設情報検索手段により検索された施設に対する情報を要求する情報要求信号を前記検索された施設の情報を提供する情報提供元に送信し前記情報提供元から前記施設情報検索手段により検索された施設の情報を取得する施設情報取得手段と、前記施設情報取得手段で取得した施設情報を解析する施設情報解析手段と、前記施設情報解析手段で解析した施設情報をディスプレイに表示させる施設情報表示手段とを備え、前記施設情報取得手段は、前記入力手段により指定された所定の地点から所定距離内の施設の駐車場の空き状況を取得し、前記施設情報表示手段は、駐車場が空いている前記施設を表示することを特徴とする。このような構成としたことにより、入力手段によって指定された地点から所定距離内の駐車場の空き情報を外部よりリアルタイムに取得するので、空いている駐車場がどこにあるかを把握することが可能となる。
また、地図情報を記憶する地図情報記憶手段と、前記地図情報における所定の地点を予め指定する入力手段と、前記入力手段によって指定された地点から所定距離内の施設を前記地図情報記憶手段より検索する施設情報検索手段と、前記施設情報検索手段により検索された施設に対する情報を要求する情報要求信号を前記検索された施設の情報を提供する情報提供元に送信し前記情報提供元から前記施設情報検索手段により検索された施設の情報を取得する施設情報取得手段と、前記施設情報取得手段で取得した施設情報を解析する施設情報解析手段と、前記施設情報解析手段で解析した施設情報をディスプレイに表示させる施設情報表示手段とを備え、前記施設情報取得手段は、前記入力手段により指定された所定の地点から所定距離内の施設内の待ち時間を取得し、前記施設情報解析手段は、前記施設の待ち時間の少ない順に優先順位を求め、前記施設情報表示手段は前記施設情報解析手段で求められた優先順位順に施設をリスト表示することを特徴とする。このような構成としたことにより、入力手段によって指定された地点から所定距離内の施設の待ち時間情報を外部よりリアルタイムに取得するので、合計待ち時間の少ない施設の順に優先順位をつけてリスト表示することにより、必要な情報をすばやく把握することが可能となる。
【０００９】
また、地図情報を記憶する地図情報記憶手段と、前記地図情報における所定の地点を予め指定する入力手段と、前記入力手段によって指定された地点から所定距離内の施設を前記地図情報記憶手段より検索する施設情報検索手段と、前記施設情報検索手段により検索された施設に対する情報を要求する情報要求信号を前記検索された施設の情報を提供する情報提供元に送信し前記情報提供元から前記施設情報検索手段により検索された施設の情報を取得する施設情報取得手段と、前記施設情報取得手段で取得した施設情報を解析する施設情報解析手段と、前記施設情報解析手段で解析した施設情報をディスプレイに表示させる施設情報表示手段と、指定された２地点間の最短経路を探索する経路探索手段とを備え、前記経路探索手段は、前記施設までの経路の所要時間を算出し、前記施設情報解析手段により算出された施設の待ち時間と前記所要時間との合計時間が少ない施設の順に優先順位をつけ、前記施設情報表示手段が、求められた優先順位に従いリスト表示させることを特徴とする。このような構成としたことにより、リアルタイムな施設の情報をユーザーにわかりやすく提供できるようになる。また、施設の情報を外部よりリアルタイムに取得するので、予め施設の情報を記憶しておく必要はなく、メモリ容量の削減にも貢献することができる。また、合計待ち時間の少ない施設の順に優先順位をつけてリスト表示することにより、必要な情報をすばやく把握することが可能となる。また、指定された２地点間の最短経路を探索する経路探索手段を備えたことにより、最適経路を容易に把握することが可能となり、しかも施設情報表示手段が、求められた優先順位に従いリスト表示させることにより、施設までの経路の所要時間を考慮した施設の情報をすばやく把握することが可能となる。
【００１０】
また、前記施設情報取得手段により情報を取得した施設がレストラン等の場合、前記施設情報表示手段は施設内での待ち時間の表示を行うことにより、施設の待ち時間等のリアルタイムな施設の混雑情報をユーザーにわかりやすく提供できるようになる。
また、地図情報を記憶する地図情報記憶手段と、前記地図情報における施設の種別または特定の施設を指定する入力手段と、前記入力手段によって指定された施設の種別または特定の施設を前記地図情報記憶手段より検索する施設情報検索手段と、前記施設情報検索手段により検索された施設に対する情報を要求する情報要求信号を前記検索された施設の情報を提供する情報提供元に送信し前記情報提供元から前記施設情報検索手段により検索された施設の情報を取得する施設情報取得手段と、前記施設情報取得手段で取得した施設情報を解析する施設情報解析手段と、前記施設情報解析手段で解析した施設情報をディスプレイに表示させる施設情報表示手段とを備えたことを特徴とする。このような構成としたことにより、入力手段によって指定された施設の種別または特定の施設の情報をリアルタイムに取得し、表示することができる。
また、前記施設情報取得手段は、前記入力手段により指定された所定の地点から所定距離内の施設の駐車場の空き状況を取得し、前記施設情報解析手段は、駐車場が空いている前記施設を表示することを特徴とする。このような構成としたことにより、入力手段によって指定された駐車場の空き情報を外部よりリアルタイムに取得するので、駐車場の空き状況を把握することが可能となる。
また、前記施設情報取得手段は、前記入力手段により指定された所定の地点から所定距離内の施設内の待ち時間を取得し、前記施設情報解析手段は、前記施設の待ち時間の少ない順に優先順位を求め、前記施設情報表示手段は前記施設情報解析手段で求められた優先順位順に施設をリスト表示することを特徴とする。このような構成としたことにより、入力手段によって指定された施設において、合計待ち時間の少ない施設の順に優先順位をつけてリスト表示することにより、必要な情報をすばやく把握することが可能となる。
【００１１】
【発明の実施の形態】
図１は本発明の第１実施形態の構成を示すブロック図であり、まず第１実施形態について説明する。図１において、１は入力手段、２は道路情報や河川，鉄道，施設，行政界の形状情報や文字，記号情報等の地図情報を記憶する地図情報記憶手段、３は入力手段１によって指定した地点から所定距離内の施設を地図情報記憶手段２より検索する施設情報検索手段、４は施設情報検索手段３により検索された施設の情報を外部より取得する施設情報取得手段、５は取得した施設情報の解析を行う施設情報解析手段、６は解析後の施設情報をディスプレイ７に表示させる施設情報表示手段である。なお、入力手段１による地点の設定は、ユーザーの操作で設定しても、さらにはユーザーを介さずディスプレイ７の中央等に位置する地図情報上の地点に予め指定しても良い。施設情報取得手段４、施設情報解析手段５および施設情報表示手段６は、「制御部」に相当する。
【００１２】
図２(a)は第１実施形態の動作を説明するための概念図であり、８は図１に示した手段を具備した施設情報表示装置、100は情報の提供元である情報提供元施設を示す。
【００１３】
次に、第１実施形態の動作を図１および図２を用いて説明する。施設情報検索手段３が、入力手段１によって指定された地点から所定距離内に存在する施設を地図情報記憶手段２より検索すると、施設情報取得手段４は、施設情報検索手段３によって検索された施設に対する情報を指定するために、情報提供元施設100に対して情報要求信号101を送り、情報のリクエストを行う。そして、情報提供元施設100より情報提供信号102を受け取ることにより施設情報取得手段４は情報を取得する。さらに施設情報解析手段５が施設情報取得手段４により取得された情報を解析した上で取捨選択や優先順位付けを行い、その結果がディスプレイ７に表示される。
【００１４】
例えばレストランの場合、施設情報取得手段４により取得した情報の中から、施設情報解析手段５は駐車場の空き状況と待ち時間をチェックし，待ち時間の少ない順に優先順位をつける。また、図２(c)は施設情報の表示例を示したものであり、110は施設情報解析手段５により優先順位付けされた結果の表示画面であり、この表示画面110には駐車場の空き状況112，レストランの待ち時間113の順番にレストラン名111が表示されている。
【００１５】
このように、前述した第１実施形態によれば、施設情報取得手段４によって施設のリアルタイムな情報が取得できるため、常にユーザーに対してリアルタイムな施設の情報を提供でき、さらに、施設情報解析手段５が駐車場の空き状況や施設の待ち時間を考慮して解析した結果をディスプレイ７に表示するため，ユーザーの判断を助け、効率の良い施設の案内が行えるようになる。
【００１６】
なお、図２(b)は第１実施形態の応用形態を示すものであり、103はユーザー端末、104はユーザー端末103のディスプレイ、９は施設情報表示装置８および施設情報表示装置８へ回線を通じてアクセス可能にする図示しない周辺機器等からなるインフォメーションセンターを示す。
【００１７】
ユーザーが身近な端末103からインフォメーションセンター９の施設情報表示装置８へ回線を通じてアクセスして「○○駅付近のレストラン」や「○○町付近のガソリンスタンド」といった施設情報のサービスを要求する要求信号105を発信すると、施設情報表示装置８は情報提供施設100に対して情報要求信号101を送ることでリクエストを行い、情報提供元施設100より情報提供信号102を受け取ることにより情報を取得した後、施設情報表示装置８で解析された施設情報信号106をユーザー端末103のディスプレイ104上に表示させるといったことも可能である。このようにすることにより、ユーザーはどの場所からでも手軽に所望の施設の情報を入手できるようになる。
【００１８】
次に本発明の第２実施形態について説明する。図３において、10はユーザーが地点の設定や施設の種別や特定の施設を選択する入力手段、11は予め指定した２地点間の最短経路またはそれに次ぐ長さの経路を求め、最適経路を探索する経路探索手段、12は地図情報をディスプレイに表示する地図情報表示手段、13は経路探索手段11により設定された経路を地図上に表示する経路表示手段である。すなわち、第２実施形態の構成は、図１に示した第１実施形態の構成において入力手段１を入力手段10とし、さらに経路探索手段11、地図情報表示手段12、経路表示手段13を追加したものである。
【００１９】
次に第２実施形態の動作について図３および図４を用いて説明する。図４は本発明の第２実施形態における動作を示すフローチャートである。まず、地図情報表示手段12によりディスプレイ７に地図が表示されている(Ｓ2-1)状態で、入力手段10により地点の設定やガソリンスタンドやレストランといった施設の種別の入力が行われると(Ｓ2-2）、施設情報検索手段３により指定された地点から所定距離内の施設を地図情報記憶手段２より検索し(Ｓ2-3)、施設情報取得手段４は検索された施設の情報を外部より取得する(Ｓ2-4)。施設情報解析手段５は、取得した施設の情報に駐車場の空き状況や施設の待ち時間等の情報が含まれる場合、駐車場が空いている施設を抽出し(Ｓ2-5)、経路探索手段11により設定地点から抽出された施設までの経路を探索した(Ｓ2-6)後、再び施設情報解析手段５は、施設までの経路の所要時間と施設での待ち時間とを合計した所要時間の少ない順に優先順位を付け、施設情報表示手段６によりディスプレイ７にリスト表示する(Ｓ2-7)。さらに入力手段10によりユーザーが特定の施設を選択すると(Ｓ2-8)、経路表示手段13により地図上に施設までの経路が重ね表示される(Ｓ2-9)。
【００２０】
図５は、第２実施形態の画面の表示例を示すものであり、200はユーザーが設定した地点、201〜204は施設、205は経路を示し、地図上に地点200から施設204への経路205を重ね表示したものである。ここで、表示画面では駐車場の空き状況や施設の待ち時間を色分けして表示するようにし、例えば駐車場が満車の場合施設202のようにぼかして表示して区別すると、ユーザーにとって見やすく、便利である。
【００２１】
このように構成した第２実施形態によれば、新たに経路探索手段11を備えたことにより、駐車場の空き状況や施設の待ち時間といった施設の混雑状況を考慮した施設情報の提供や経路案内が行えるようになる。
【００２２】
図６は本発明の第２実施形態の他構成を示すブロック図であり、14は車両の現在位置を各種センサと地図情報記憶手段２により推定する車両位置推定手段である。すなわち、図６の装置は図３の装置に対して新たに車両位置推定手段14を追加したものであり、図３に示した第２実施形態における手段と同一機能もしくは同一の役割を果たす手段に対しては同一の符号を付したことで詳細な説明は省略した。
【００２３】
次に、図６に示す構成における動作を図６，図７を用いて説明する。図７は本発明の第２実施形態の他構成の動作を示すフローチャートである。車両位置推定手段14により車両の現在位置を推定した後(Ｓ3-1)、車両の現在位置付近の地図が地図情報表示手段12によりディスプレイ７に表示される(Ｓ3-2)。次にユーザーによる目的地等の設定が入力手段10により行われると(Ｓ3-3)、経路探索手段11は現在位置から目的地までの最短経路を探索し(Ｓ3-4)、検索結果の経路が経路表示手段13によりディスプレイ７に表示された地図上に重ね表示される(Ｓ3-5)。なお、目的地への途中で入力手段10によるユーザーからの施設情報の要求があった場合(Ｓ3-6)、第２実施形態と同様に施設の案内を行う(Ｓ3-7)。また、経路探索手段11は、現在位置から目的地までの最短経路を探索する以外にも、最短経路に次ぐ経路を数ルート探索し、ディスプレイ７に表示させるようにしても良い。
【００２４】
図８は図６に示す構成における画面の表示例を示したものであり、300は車両の現在位置マーク、301は予め設定された目的地までの経路であり、施設302が選択されたとすると、施設302までの経路303が表示される。なお、このとき、色や線種を変えることなどにより予め設定されている目的地までの経路301と区別をして経路303の表示を行うとよい。
【００２５】
このように、図６に示す構成によれば、車両位置推定手段14を備えたことにより、車載ナビゲーション装置への適用が可能となり、目的地までの途中で施設に立ち寄る場合にも、施設の混雑状況を考慮した施設情報を提供できると共に、目的地までの効率の良い経路を案内できるようになる。
【００２６】
【発明の効果】
以上、説明したように本発明よれば、駐車場の空き状況や施設の待ち時間等のリアルタイムな施設の混雑情報をユーザーに提供できるようになり、ユーザーは事前に施設の混雑状況を知ることで時間のロスがなくなり、計画の立案を的確に行うことができるという利点を有する。また、本発明によれば、従来のように予め施設情報を記憶しておく必要はなくなり、さらに、必要な情報のみを取捨選択および優先順位付けして提供することにより、視認性も向上するという効果も有する。
【００２７】
また、本発明によれば、駐車場の空き状況や、施設の待ち時間等を考慮した施設までの経路を探索し、指定した地点からの最適な施設を案内できるという効果を奏する。しかも、施設での待ち時間も合わせた合計の所要時間に基づいた経路探索を行っているため、例えば指定された地点から距離が近くても駐車場が満車であったり、施設内での待ち時間が長い場合は、少し距離が遠くなっても待ち時間の少ない施設が案内されるようになり、効率の良い施設の案内が実現できるという効果を奏する。
【図面の簡単な説明】
【図１】本発明の第１実施形態における施設情報表示装置の構成を示すブロック図である。
【図２】  (a)は本発明の第１実施形態の動作の説明図、(b)は本発明の第１実施形態の応用例の説明図、(c)は本発明の第１実施形態の画面表示例の説明図である。
【図３】本発明の第２実施形態における施設情報表示装置の構成を示すブロック図である。
【図４】本発明の第２実施形態の処理フローを説明するフローチャートである。
【図５】本発明の第２実施形態の画面表示例の説明図である。
【図６】本発明の第２実施形態における施設情報表示装置の他の構成を示すブロック図である。
【図７】図６に示す施設情報表示装置の処理フローを説明するフローチャートである。
【図８】図６に示す施設情報表示装置の画面表示例の説明図である。
【図９】従来の施設情報表示装置の構成図である。
【符号の説明】
1，10，50…入力手段、  ２，52…地図情報記憶手段、  ３…施設情報検索手段、  ４…施設情報取得手段、  ５…施設情報解析手段、  ６，53…施設情報表示手段、  ７，55，104…ディスプレイ、  ８…施設情報表示装置、  ９…インフォメーションセンター、  11…経路探索手段、  12，54…地図情報表示手段、  13…経路表示手段、  14…車両位置推定手段、  51…施設情報記憶手段、  100…情報提供元施設、  101…情報要求信号、  102…情報提供信号、  103…ユーザー端末、  110…表示画面、  111…施設名、  112…駐車場の空き状況、  113…施設の待ち時間、  200…ユーザーの設定地点、  201…駐車場が空いていて待ち時間の少ない施設、  202…駐車場が空いていても待ち時間の多い施設、  203…駐車場が満車状態である施設、  204…案内対象となった施設、  205…案内対象となった施設までの経路、  300…車両の現在位置マーク、  301…出発地から目的地までの経路、  302…案内対象となった施設、  303…出発地から目的地までの経路上から案内対象の施設までの経路。
【図１】
0003971149.tif 000002
【図２】
0003971149.tif 000003
【図３】
0003971149.tif 000004
【図４】
0003971149.tif 000005
【図５】
0003971149.tif 000006
【図６】
0003971149.tif 000007
【図７】
0003971149.tif 000008
【図８】
0003971149.tif 000009
【図９】
0003971149.tif 000010